(57)【特許請求の範囲】
【請求項１】
熱変色インクによる筆跡を消去するための第１の消去部材と、熱変色インクとは異なる種類の筆跡を消去するための第２の消去部材とが、一体で構成され、
第１の消去部材が第２の消去部材のための容器であり、
第１の消去部材に貫通孔が設けられ、消去動作時に、前記貫通孔を介して第２の消去部材が把持されるように、第２の消去部材の外面が露出していることを特徴とする消去具。
【請求項２】
熱変色インクによる筆跡を消去するための第１の消去部材と、熱変色インクとは異なる種類の筆跡を消去するための第２の消去部材とが、一体で構成され、
第２の消去部材が第１の消去部材のための容器であり、
第２の消去部材に貫通孔が設けられ、消去動作時に、前記貫通孔を介して第１の消去部材が把持されるように、第１の消去部材の外面が露出していることを特徴とする消去具。
【発明の詳細な説明】
【技術分野】
【０００１】
本発明は、ボールペン、マーキングペン、万年筆、鉛筆、色鉛筆、熱変色インク等で筆記した筆跡を消去することができる消去具に関する。
【背景技術】
【０００２】
従来、市販の消しゴムにより筆跡を消去することができる消去具が多く開示されている。しかしながら、市販の消しゴムを、摩擦熱により筆跡を消去する消去具として用いる場合には、筆跡を十分に消去することができない。そこで、特許文献１のような消去部に弾性を有する合成樹脂とした摩擦体が開示されている。しかし、特許文献１の摩擦体では、熱変色インクの筆跡を消去することは容易でも、従来の鉛筆芯等の筆跡を消去することが困難である。
【先行技術文献】
【特許文献】
【０００３】
【特許文献１】特開２００９−１０７２４０号公報
【発明の概要】
【発明が解決しようとする課題】
【０００４】
そこで、熱変色インクの筆跡でも鉛筆芯の筆跡でも、筆記具のインクや芯の種類によらず、筆跡を消去可能な消去具を提供することを課題とする。
【課題を解決するための手段】
【０００５】
本発明の一態様によれば、熱変色インクによる筆跡を消去するための第１の消去部材と、熱変色インクとは異なる種類の筆跡を消去するための第２の消去部材とが、一体で構成されていることを特徴とする消去具が提供される。なお、ここで挙げる筆跡の消去とは、熱変色インクにおける消色並びに変色も含まれる。
【０００６】
また、本発明の別の態様によれば、第１の消去部材が、第２の消去部材のための容器であることを特徴とする消去具が提供される。
【０００７】
また、本発明の別の態様によれば、第１の消去部材が、有底状に形成されると共に第２の消去部材の外面を覆うことを特徴とする消去具が提供される。
【０００８】
また、本発明の別の態様によれば、第１の消去部材に貫通孔が設けられ、該貫通孔を介して第２の消去部材の外面が露出していることを特徴とする消去具が提供される。
【発明の効果】
【０００９】
本発明によれば、熱変色インクの筆跡でも鉛筆芯の筆跡でも、筆記具のインクや芯の種類によらず、筆跡を消去可能な消去具を提供することができる。すなわち、複数のインク又は芯を収容した様々な筆記具による筆跡を消去することができる。
【図面の簡単な説明】
【００１０】
【図１】本発明における第１例の消去具の全体図である。
【図２】本発明における第２例の消去具の全体図である。
【図３】本発明における第３例の消去具の全体図である。
【図４】本発明における第４例の消去具の全体図である。
【図５】本発明における第４例のキャップを外した図面である。
【図６】本発明における第５例の消去具の全体図である。
【図７】本発明における第５例の硬質ケースを外した図面である。
【図８】本発明における第６例の消去具の全体図である。
【図９】本発明における第７例の消去具の全体図である。
【図１０】本発明における第８例の消去具の全体図である。
【図１１】本発明における第８例の消しゴムケースの斜視図である。
【発明を実施するための形態】
【００１１】
以下、図面を参酌して説明する。
図１は、本発明における第１例の消去具の全体図である。第１の消去部材である熱変色インク用の消去具１０は、第２の消去部材である鉛筆芯用の消去具１１の容器である消しゴムケースに形成されている。熱変色インク用の消去具１０はポリプロピレン２５重量部と、スチレン系熱可塑性エラストマー７５重量部から構成される。鉛筆芯用の消去具１１は、塩化ビニル酢酸ビニル共重合体等の樹脂と可塑剤を主材とし、その他必要に応じて安定剤、充填剤等を添加し、射出成形により形成されているＪＩＳ  Ｓ６０５０  ３．２性能に記載される事項を満たしたいわゆる一般的な消しゴムである。
【００１２】
ここで、熱変色インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色インクにおいて、上記第２色を無色とし、第１色（例えば赤）で筆記された描線を昇温させて無色とすることを、ここでは「消去する」ということとする。従って以下の実施形態では、描線が筆記された紙面等に対して摩擦体としての熱変色インク用の消去具によって擦過して摩擦熱を生じさせ、それによって描線を無色に変化、すなわち消去させる。なお、当然のことながら上記第２色は、無色以外の有色でもよい。また、特開２０１０−２４１８６７に記載されるような、不可逆熱変色インクとしてもよい。
【００１３】
また、本発明における第２の消去部材によって消去される描線を筆記するものとして、鉛筆芯のみならずシャープペンシルの芯、熱変色インクではない擦過によって消去可能なインクによる筆跡も含まれる。例えば消去可能なインクとは、水と、非熱可塑性の着色樹脂粒子と、非着色粒子とが少なくとも含有されたインクを示す。
【００１４】
第１の消去部材である熱変色インク用の消去具１０は、第２の消去部材である鉛筆芯用の消去具１１の使用時における持ち手となる。なお、熱変色インク用の消去具１０と鉛筆芯用の消去具１１とは、二色成形等により一体に構成されるが、各々に形成して、熱変色インク用の消去具１０が、鉛筆芯用の消去具１１の消しゴムケースとして機能するようにしても良い。なお、本例の熱変色インク用の消去具１０は一面を開口した有底の箱型形状となっているが、鉛筆芯用の消去具１１の全ての面を覆い且つ切り離し可能な形状にしても良い。
【００１５】
図２は、本発明における第２例の消去具の全体図である。第１例と異なる点は、外周側が第２の消去部材となる鉛筆芯用の消去具１１で内周側が第１の消去部材である熱変色インク用の消去具１０であることと、熱変色インク用の消去具１０の表面に複数の切れ目２１が入っていることである。切れ目２１によって、消去時に摩擦熱が容易に発生しやすくなるため、熱変色インクでの筆跡の消去効率を向上させることができる。なお、切れ目２１の数や方向は特に指定しない。
【００１６】
図３は、本発明における第３例の消去具の全体図である。図３（ａ）は図３（ｄ）の後方からの斜視図、図３（ｂ）は図３（ｄ）の前方からの斜視図、図３（ｃ）は平面図、図３（ｄ）は正面図、図３（ｅ）は図３（ｄ）の縦断面図、図３（ｆ）は側面図である。
【００１７】
第１の消去部材である熱変色インク用の消去具１０は、第２の消去部材である鉛筆芯用の消去具１１の消しゴムケースとなっている。熱変色インク用の消去具１０は有底の箱型形状に形成されており、底面の略中央部には鉛筆芯用の消去具１１が容易に取り外し可能なように空気逃げ孔かつ押し出しが容易なように貫通孔２２が形成されている。また、底面の端には角部２３ａと端部２３ｂが組合わされて形成されている。角部２３ａは尖り形状であることから微小な面積を消去することと軽い力で消去することに適している。複数形成された端部２３ｂは互いに異なる曲率の球面であり、角部２３ａと比較して一度の摩擦動作で広い面積を消去することができる。熱変色インク用の消去具１０の二面の対称には円形状の窪みが形成された凹部２４を設けることで筆跡の消去時に手で把持しやすくすることができる。なお凹部２４は円形状でなく四角形状、三角形状、楕円形状等、ケースの表面から凹んでいればよく、形状は問わない。
【００１８】
図４は、本発明における第４例の円筒形状の消去具の全体図である。図４（ａ）は前方からの斜視図、図４（ｂ）は正面図、図４（ｃ）は図４（ｄ）の縦断面図、図４（ｄ）は側面図である。
【００１９】
第１の消去部材である熱変色インク用の消去具１０は、一端が開口された円筒形状を有しており、開口側からは第２の消去部材である鉛筆芯用の消去具１１と第１の消去部材にもなる熱変色インク用の消去具１２が一体となった消去具１３が挿入され、キャップとして機能されている。本例のように熱変色性インク用の消去具１０が鉛筆芯用の消去具１１をキャップとして覆うことで鉛筆芯用の消去具１１の使用後における鉛筆芯や大気中の埃の付着による汚れを防ぐことができる。
【００２０】
熱変色インク用の消去具１０は前方側端面の略中央には消去具１３の出し入れを容易にするための貫通孔２２が形成され、その周囲には曲面を有する端部２３ｂが形成されている。端部２３ｂは、消去具１３の熱変色インク用の消去具１２に形成された曲面部２６とは異なる曲率及び曲面を有していることで、熱変色インクを消去する際に消去面積をユーザーの任意に容易に選択することができる。
【００２１】
キャップ開口端に形成された角部２３ａは端部２３ｂより曲率を小さく形成されているため、小さい面積を容易に消去することができる。角部２３ａによる消去より、さらに小さい面積を容易に消去したい場合は、角部２５ａを用いるとよい。
【００２２】
図５は、本発明の図４で説明した第４例である熱変色インク用の消去具１０を取り外した消去具１３の部品図である。図５（ａ）は前方からの斜視図、図４（ｂ）は正面図、図５（ｃ）は後方からの斜視図である。
【００２３】
消去具１３は第２の消去部材である鉛筆芯用の消去具１１と第１の消去部材である熱変色インク用の消去具１２が一体となった円筒形状に形成されている。なお一体の方法としては、各消去具の端面同士を接着、嵌合、圧入、二色成形による成形等が挙げられる。熱変色インク用の消去具１２の後方側、図面上では右側の端面には、角部２５ａと曲面部２５が形成されている。角部２５ａは接触面積を小さくすることが容易であるため微小な面積を消去するのに適しており、曲面部２５は接触面が面で当接することが容易で広い面積を消去するのに適している。また、鉛筆芯用の消去具１１で消去する際、熱変色インク用の消去具１２を鉛筆芯用の消去具１１の把持部とすることで、手にべとつかずに鉛筆芯の消去を行うことができる。
【００２４】
図６は、本発明の第５例である四角形に形成された筒形状の消去具の全体図である。図６（ａ）は左側面図、図６（ｂ）は前方からの斜視図、図６（ｃ）は正面図、図６（ｄ）は図６（ｃ）の縦断面図、図６（ｅ）は図６（ｂ）の前部１４ａを後部１４ｂから取り外した前方からの斜視図である。
【００２５】
消去具１３は未使用時においては硬質ケースの内部に収容されており、使用時には硬質ケースの前部１４ａ、後部１４ｂが切り離し可能であるので、消去具１３を取り出して筆跡を消去することができる。前部１４ａと後部１４ｂとの接続は、図６（ｅ）のように溝に嵌め込む方式であるが、締まりばめによる圧入、アンダーカット（内面の凹凸）による嵌合やネジの螺合による接続方法としてもよい。硬質ケースはポリカーボネートやＡＢＳ、ＰＥＴ、ＰＢＴ等の硬質プラスチックで形成されているが、ＰＴＦＥやポリエチレン、ポリプロピレン等の軟質プラスチックや半硬質プラスチックで形成して熱変色インクによる筆跡の消去が容易にできる熱変色インク用の消去具としてもよい。
【００２６】
図７は、本発明の図６で説明した第５例である硬質ケースを取り外した消去具１３の部品図である。図７（ａ）は前方からの斜視図、図７（ｂ）は平面図、図７（ｃ）は正面図である。
【００２７】
消去具１３は第４例の消去具と同様に、第２の消去部材である鉛筆芯用の消去具１１と第１の消去部材である熱変色インク用の消去具１２が一体となっている。第４例の消去具と異なるのは、外形が直方体形状に形成されており、熱変色インク用の消去具１２の前方側の端面が傾斜のある平面部２６が形成されている。平面部２６の前方端部には２つの角部２３ａ間を結ぶ線は線部２３ｃが形成されているので、平面部２６では広い面積に掛かる筆跡、線部２３ｃでは細長い形状の筆跡、角部２３ａでは微小な面積に書かれた文字等の筆跡を消去するのに優れている。
【００２８】
図８は本発明における第６例の消去具で熱変色インク用の消去具１２と鉛筆芯用の消去具１１が一体となった消去具１３の変形例である指輪状の消去具の全体図である。図８（ａ）は前方からの斜視図、図８（ｂ）は平面図、図８（ｃ）は正面図、図８（ｄ）は側面図、図８（ｅ）は図８（ｄ）の縦断面図である。
【００２９】
円環状に構成された熱変色インク用の消去具１２の外周の凹状に形成された溝部２７の全周には、鉛筆芯用の消去具１１が装着されている。熱変色インク用の消去具１２と鉛筆芯用の消去具１１とは、接着剤による固着、嵌合、二色成形による一体成形等が挙げられる。鉛筆芯用の消去具１１は、正面から見て異なる曲率を有する曲面部２８ａ、２８ｂ、２８ｃ、２８ｄが形成されている。各曲面部が異なる曲率を有することで消去面積や消去幅を任意に選択することができる。
【００３０】
また、貫通孔２２を形成した指輪状にすることで人の手の指や筆記具等の棒体に挿入可能である。例えば筆記具後端部に消去具が形成された場合は消去時には筆記側と対向側に消去部があるので反転動作を必要とするため、消去動作に時間が掛かってしまうが、人の手の指に装着可能とすることで、筆記具とは別の手に装着し、筆記具との切り替えをすばやくできるのでムダのない消去動作をすることができる。また、筆記具等の略円形断面の棒体に挿入可能とすることで、クリップの無い筆記具を机上等に置いた場合、回転止めの機能を得ることができる。この場合、熱変色インク用の消去具１２は、ゴム弾性を有する材料でも良いが、指に挿入するため、快適な装着性を得るため、表面がべとつかない軟質プラスチックや半硬質プラスチックにすることが望ましい。また、熱変色インク用の消去具１２は鉛筆芯用の消去具１１と同種の材質で形成してもよい。
【００３１】
図９は第７例の指輪状の消去具の全体図である。図９（ａ）は前方からの斜視図、図９（ｂ）は平面図、図９（ｃ）は正面図、図９（ｄ）は側面図、図９（ｅ）は図９（ｄ）の縦断面図である。
【００３２】
図８である第６例の消去具との違いは、鉛筆芯用の消去具１１と熱変色インク用の消去具１２の関係が反転されており、鉛筆芯用の消去具１１の外周に熱変色インク用の消去具１２が装着されている。熱変色インク用の消去具１２は、溝部２７と溝部２７の外周側の両側面に形成された段部２９に乗り上げて装着することで、鉛筆芯用の消去具１１との接触面積を増やすことにより、固着性を高めることができる。
【００３３】
図１０は第８例の消しゴムケースが消去体である消去具の全体図であり、第３例の変形例を示す図である。図１０（ａ）は前方からの斜視図、図１０（ｂ）は平面図、図１０（ｃ）は正面図、図１０（ｄ）は図１０（ｃ）の縦断面図、図１０（ｅ）は側面図である。また、図１１は第８例の消しゴムケースの斜視図である。
【００３４】
第３例の消去具では、熱変色インク用の消去具１０は有底の箱型形状に形成されており、その底面には貫通孔２２が設けられ、側面には凹部２４が設けられていた。これに対し、第８例の消去具の熱変色インク用の消去具１０としての消しゴムケースは、側面、例えば第３例の凹部２４に対応する位置に複数の貫通孔２２が設けられている。さらに、貫通孔２２を画成する熱変色インク用の消去具１０の端縁は、部分的に又は全周に亘って斜めに切り欠かれ、斜面部２２ａを形成している。熱変色インク用の消去具１０の底面について、貫通孔２２は、設けられていても設けられていなくてもよい。
【００３５】
熱変色インク用の消去具１０の側面に貫通孔２２が設けられていることによって、鉛筆芯用の消去具１１を熱変色インク用の消去具１０から取り出すのが容易になる。すなわち、熱変色インク用の消去具１０と鉛筆芯用の消去具１１との間で当接する面の面積が小さくなるため、取り出し時の両消去具間の摩擦抵抗が小さくなる。
【００３６】
また、消去動作時に、両消去具を直接かつ同時に指で把持することができるため、滑らずに筆跡等を消去することができる。すなわち、第８例の消去具は、熱変色インク用の消去具１０の貫通孔２２を介して鉛筆芯用の消去具１１の外面が露出している。従って、消去動作をするために、消去具を把持しようとすると、指の一部分は貫通孔２２を介して鉛筆芯用の消去具１１を把持すると共に、指のその他の部分は貫通孔２２周辺の熱変色インク用の消去具１０を把持することとなる。言い換えると、貫通孔２２は、両消去具を直接かつ同時に指で把持することを可能とするように、位置及び形状が決定される。さらに、貫通孔２２を画成する熱変色インク用の消去具１０の端縁に斜面部２２ａが形成されていることによって、その部分が他の部分に比べて薄く形成されることから、弾性変形がし易い。そのため、この部分を指で把持することによって、より確実に両消去具を直接かつ同時に指で把持することを可能となる。
【００３７】
その他の特徴として、熱変色インク用の消去具１０は、上述した実施例と同様に、微小な面積を軽い力で消去することを可能にする角部２３ａおよび線部２３ｃや、消去面積をユーザーの任意に容易に選択することが可能な曲面部２５も有している。
【００３８】
本発明の態様によれば、第１の消去部材である熱変色インク用の消去具を第２の消去部材である鉛筆芯用の消去具の容器とすることで第１の消去部材を第２の消去部材の容器とが一体に構成することができるので、筆記具のインクや芯の種類によらず、筆跡を消去可能な消去具を提供することができる。また、第１の消去部材を有底状とし第２の消去部材の外面を覆って形成することによって、第２の消去部材の位置決めを容易にしかつ指で把持することを容易にすることができる。
【００３９】
また、第１の消去部材は第２の消去部材よりデュロメータＡ硬度又はデュロメータＤ硬度が高いことを特徴とすることで、第２の消去部材を第１の消去部材内に収納する際に不要な変形を生ずることなしに収納することができる。なお、デュロメータ硬度の測定についてはＪＩＳ  Ｋ６２５３に準拠する。
【００４０】
また、熱変色インク用の消去具は、ゴム弾性を有する材料や、軟質プラスチック、半硬質プラスチックが選ばれ、各種の熱可塑性樹脂、熱硬化性材料、熱可塑性材料、無機物・有機物の焼結体などの少なくとも１種（各単独、又は２種以上の混合物）を使用することにより構成することが望ましい。熱変色インク用の消去具として用いることができる熱可塑性材料としては、オレフィン系、スチレン系、ウレタン系、ポリエステル系、フッ素系などの熱可塑性エラストマーを用いることができ、また、熱硬化性材料としては、例えば、シリコーン系、エポキシ系、ウレタン系、メラミン系、尿素系、フェノール系などの各種合成ゴムや天然ゴムを用いることができる。さらにポリプロピレン樹脂及びスチレン系熱可塑性エラストマーの混合物、またはポリプロピレン樹脂及びポリプロピレン系熱可塑性エラストマーの混合物からなり、その配合比率がそれぞれ重量比で１：１〜１：４、更に好ましくは、オレフィン系樹脂とオレフィン系熱可塑性エラストマーの混合物からなり、その配合比率が重量比で１：２．５〜１：３．５となるものが、筆跡の消去に際し、摩擦熱の発生が容易であり、自己摩耗が少ないものとなるので、特に望ましい。
【００４１】
また、鉛筆芯用の消去具は、ＪＩＳ  Ｓ６０５０に記載される品質を満たした消しゴムで用いられる、塩化ビニル樹脂からなる塩ビ字消し、スチレン系熱可塑性エラストマーあるいはオレフィン系熱可塑性エラストマーからなる非塩ビ字消し及び天然ゴムからなる字消し等が選ばれる。
【００４２】
なお、本発明の各消去具の形状等は、特に限定されるものではなく、例えば、円柱状、角柱状、三角柱状、直方体、表面に凹凸や突起を有する複雑な形状としてもよいものであるが、点状に接触可能な角部、面状に接触可能な端部を一体に形成することが望ましい。
【００４３】
また、本発明の第１の消去部材及び第２の消去部材には、本発明の効果を損なわない範囲で、上記材質中に、着色剤、香料などを含有させて装飾性、識別性を向上させてもよく、さらに熱変色材料を含有させて筆跡の消去時に摩擦熱によって、変色可能にしてもよいのである。
【産業上の利用可能性】
【００４４】
以上の通り、本発明は、鉛筆等の固形芯による筆記具での筆跡や、熱変色インクでの筆記具による筆跡でも効果的に消去できる消去具であり、産業上利用できる有用な発明である。
【符号の説明】
【００４５】
１０    熱変色インク用の消去具（第１の消去部材）
１１    鉛筆芯用の消去具（第２の消去部材）
１２    熱変色インク用の消去具
１３    消去具
１４ａ    前部
１４ｂ    後部
２１    切れ目
２２    貫通孔
２３ａ    角部
２３ｂ    端部
２３ｃ    線部
２４    凹部
２５ａ    角部
２５    曲面部
２６    平面部
２７    溝部
２８ａ    曲面部
２８ｂ    曲面部
２８ｃ    曲面部
２８ｄ    曲面部
２９    段部
【図１】
0006647249.tif 000002
【図２】
0006647249.tif 000003
【図３】
0006647249.tif 000004
【図４】
0006647249.tif 000005
【図５】
0006647249.tif 000006
【図６】
0006647249.tif 000007
【図７】
0006647249.tif 000008
【図８】
0006647249.tif 000009
【図９】
0006647249.tif 000010
【図１０】
0006647249.tif 000011
【図１１】
0006647249.tif 000012